(57)【要約】      （修正有）【課題】電柱用ステンレスベルトと、これに外嵌して用いる樹脂管を単一な段ボール箱を利用して包装でき、また、これらの一方又は双方を、単一な容器から自在に取り出すことのできる包装装置を提供する。【解決手段】基部に締付け器１０ａを取り付けた電柱用ステンレスベルト１０と該ステンレスベルト１０に外嵌して用いる樹脂管１１を包装する装置であって、直方体形状の段ボール箱Ａ内に、多数の樹脂管１１と、該樹脂管１１を取り囲むよう屈曲して配した多数のステンレスベルト１０を収納する。前記段ボール箱Ａは、前記ステンレスベルト１０の基部を偏して配した長手方向の一端面に、蓋部片１ａ，２ａで閉塞したステンレスベルト用の引き出し口を備え、前記樹脂管１１の直上の上壁板１には、該樹脂管１１の取り出し口形成用のミシン目を設ける。【選択図】図２
2010001032.tif 000002
【特許請求の範囲】
【請求項１】
基部に締付け器を取り付けた電柱用ステンレスベルトと該ステンレスベルトに外嵌して用いる樹脂管を包装する装置において、直方体形状の段ボール箱内に、多数の樹脂管と、該樹脂管を取り囲むよう屈曲して配した多数のステンレスベルトを収納し、前記段ボール箱は、前記ステンレスベルトの基部を偏して配した長手方向の一端面に、蓋部片で閉塞したステンレスベルト用の引き出し口を備え、前記樹脂管の直上の上壁板には、該樹脂管の取り出し口形成用のミシン目を設けた、包装装置。
【発明の詳細な説明】
【技術分野】
【０００１】
本発明は、立ち上り管などの物品の装柱に際し、電柱に巻付けて用いる電柱用ステンレスベルトと、該ステンレスベルトによる物品の損傷を防ぐために該ステンレスベルトに外嵌して用いる樹脂管の包装装置に関するものである。
【背景技術】
【０００２】
前記の電柱用ステンレスベルトと樹脂管は、現場に於いて組合わせて用いるものであるが、工場出荷に際しては、別個に包装（梱包）し、現場へは、概し、該包装状態のまま運んでいる。
【発明の開示】
【発明が解決しようとする課題】
【０００３】
前記樹脂管はステンレスベルトに対して従たるものとして使用するため、現場への持ち運びを失念し勝ちで、何よりも両者は組合わせて用いるものであるから、単一な包装状態にしておいた方が、保管上も、使用勝手上も便利である。
【０００４】
本発明は斯様な便利さを得るために創案したものである。
【課題を解決するための手段】
【０００５】
基部に締付け器を取り付けた電柱用ステンレスベルトと該ステンレスベルトに外嵌して用いる樹脂管を包装する装置において、直方体形状の段ボール箱内に、多数の樹脂管と、該樹脂管を取り囲むよう屈曲して配した多数のステンレスベルトを収納し、前記段ボール箱は、前記ステンレスベルトの基部を偏して配した長手方向の一端面に、蓋部片で閉塞したステンレスベルト用の引き出し口を備え、前記樹脂管の直上の上壁板には、該樹脂管の取り出し口形成用のミシン目を設けた、構成とするのである。
【発明の効果】
【０００６】
本発明によれば、ステンレスベルトとこれに外嵌して用いる樹脂管を単一な段ボール箱を利用して包装できると共に、これらの一方又は双方を単一な容器（段ボール箱）から自在に取出すことができ、両物品を常に一緒に保管、搬送ができるから実用的である。
【実施例】
【０００７】
図面は、本発明に係る包装装置の一実施例を示し、図１は平面図、図２は蓋片を開放した状態の平面図、図３は段ボール箱の斜視図である。
【０００８】
本発明に用いる段ボール箱Ａは、長方形状の上、下の壁板１，２と、該上、下壁板１，２より幅狭い左右の側壁板３，３´で成る角筒体の長手方向の両端面を、前記各壁板１，２，３，３´に折目を介して連設した蓋部片１ａ，２ａ，３ａ，３´ａ（部片３ａ，３´ａは省略しても良い）を互いに重ね合わせ、表面側に重なり合う上、下壁板１，２側の蓋部片１ａ，２ａを互いに糊付けして止着する一方、前記上壁板１の長手方向の中間部には、前記一方の側壁板３から他方の側壁板３´に至る２条のミシン目ａ，ａを設け、該ミシン目ａ，ａ同士を上壁板１と他方の側壁板３´との境界部に設けた、他のミシン目ａ´を介して連続させて、ミシン目ａ，ａ，ａ´で取り囲む部分をミシン目ａ，ａ´を利用して切込みを入れることにより開閉蓋６として利用するようにしたものである。
【０００９】
そして、この段ボール箱Ａ内に、多数の電柱用ステンレスベルト１０を、基部を箱Ａの長手方向の一方の端面側に偏して配するように屈曲状にして収納し、該ベルト１０の屈曲によって形成される空間域ｃに、前記開閉蓋６を構成する、ミシン目ａ，ａ´で取り囲む部分６´の直下に位置させて、多数の樹脂管１１を収納し、包装してある。
【００１０】
ステンレスベルト１０と樹脂管１１は、ステンレスベルト１０に樹脂管１１を外嵌して、電柱に立ち上り管を締め付けるときなどに用いられ、ステンレスベルト１０によって立ち上り管を締め付けたとき、そのエッジによる立ち上り管に対する損傷を防ぐため立ち上り管との接触部にベルト１０に外嵌した樹脂管１１を当てるようにして用いられるのである。
【００１１】
なお、ステンレスベルト１０の基部に締付け器１０ａを組付け、この締付け器１０ａ側を段ボール箱Ａの長手方向の一方の端面（図示Ａａで示す）側に配して段ボール箱Ａ内に収納する。
【００１２】
段ボール箱Ａ内にステンレスベルト等を収納するには、左右の側壁板３，３´に連設した蓋部片３ａ，３´ａと下壁板２に連設した蓋部片２ａを、蓋部片２ａを外側にして互いに重ね合わせて糊付けして上面開口の箱体を構成し、該箱体内に基部側同士を揃えた多数のステンレスベルト１０，…を屈曲状に束ねた状態で収納し、前記屈曲によって形成される、ステンレスベルト１０，…で取り囲む空間域ｃに多数（必要数）の樹脂管１１，…を収納、係合し、次いで、前記他方の側壁板３´に連設した上壁板１でステンレスベルト１０等を収納した前記箱体の上面開口を閉塞するようにして、該上壁板１に連設した止着部片１Ａを一方の側壁板３の外側に重ね合わせて接着剤で接着し、該上壁板１の長手方向の両端に設けた基部片１ａを左右の側壁板３，３に連設した蓋部片３ａ，３´ａのそれぞれに外側から重ね合わせて同様に接着剤で接着（糊付け）することによりステンレスベルト１０等の包装状態を得られるのである。
【００１３】
そして、端面Ａａを開放する一方、ミシン目ａに沿って切り込みを入れて開閉蓋６を得てこれを開放すると、端面Ａａ側がステンレスベルト１０の引き出し口となり、ベルト１０の基部側の締付け器１０ａを摘んで引き抜くと、ステンレスベルト１０はその素材の性質上、滑って自在に引き出され、また、開閉蓋６を開放した開口部Ａｂは樹脂管１１の取り出し口となり、自在に取り出され、段ボール箱Ａそのものがステンレスベルト１０等の収納箱乃至保管箱として機能させることができるのである。
【００１４】
なお、収納箱表面には、前記引き出し口側や取り出し口側などの案内事項や上下方向の指示事項などが記載されて、取扱いに誤作業が生じないようにしてあることは勿論である。
【図面の簡単な説明】
【００１５】
【図１】平面図。
【図２】蓋片を開放した状態の平面図。
【図３】段ボール箱の斜視図。
【符号の説明】
【００１６】
１          上壁板
１ａ        蓋部片
１０        ステンレスベルト
１０ａ      締付け器
１１        樹脂管
２９        蓋部片
Ａ          段ボール箱
ａ，ａ´    ミシン目
【図１】
2010001032.tif 000003
【図２】
2010001032.tif 000004
【図３】
2010001032.tif 000005